(57)【特許請求の範囲】
【請求項１】
一対のサイドフレームに昇降可能のガードフレームを取り付け、それぞれのガードフレームを昇降させる手段を設け、前記ガードフレームの上端に、患者を寝かせるシーツの側縁部を係止する手段を設け、一方のガードフレームの上昇によって前記シーツの片側を持ち上げ患者の体位を変換可能とした寝返りベッド。
【請求項２】
患者の体位変換を行なう期間とその期間内の体位変換回数または時間間隔を入力して前記ガードフレームの昇降手段を駆動させる制御部を設けた請求項１に記載の寝返りベッド。
【請求項３】
前記ガードフレームの昇降手段が、リンクで形成されたパンタグラフ機構と、このパンタグラフ機構のリンクの下端を接近又は離反させる駆動手段より成る請求項１または２に記載の寝返りベッド。
【請求項４】
前記ガードフレームの昇降手段が、ガードフレームにシリンダロッドが連結されたシリンダより成る請求項１または２に記載の寝返りベッド。
【発明の詳細な説明】
【０００１】
【発明の技術分野】
この発明は、人手を借りずに患者を寝返りさせて褥瘡を防止できるベッドに関する。
【０００２】
【従来の技術】
寝床で同一体位を長時間保持したまま患者を放置しておくと、持続的に圧迫を受ける部位に褥瘡が発生し易い。褥瘡の最も有効な予防方法は体位の変換であり、これを少くとも２時間ごとに、或は最低１日に１５回行なう必要がある。通常この体位の変換は、複数人で患者を持ち上げて患者に苦痛を与えないよう細心の注意を払いながら行なわなければならず、大変な労力を要している。
【０００３】
【発明の課題】
そこで、マットレスと共に床が縦に折れて傾くようにした所謂ローリングベッドが現れている。しかしながら、このベッドは患者がその上に寝たままの状態でベッドを傾けるだけであって、人体がベッドに圧着した状態は変らない。しかしながら褥瘡の予防や治療には、褥瘡が発生する部分に空気を流通させることが大切である。
【０００４】
従ってこの発明の課題は、患者の体位を変換することができると同時に身体のベッドへの圧着を解いて空気を流通させることができるようにすることである。
【０００５】
【課題の解決手段】
上記の課題を解決するために、この発明においては、一対のサイドフレームに昇降可能のガードフレームを取り付け、それぞれのガードフレームを昇降させる手段を設け、前記ガードフレームの上端に、患者を寝かせるシーツの側縁部を係止する手段を設け、一方のガードフレームの上昇によって前記シーツの片側を持ち上げ患者の体位を変換可能としたのである。また、患者の体位を変換する期間とその期間内の体位変換回数または時間間隔を入力して前記ガードフレームの昇降手段を駆動させる制御部を設けておくのがよい。
【０００６】
前記ガードフレームの昇降手段を、リンクで形成されたパンタグラフ機構と、このパンタグラフ機構のリンクの下端を接近又は離反させる駆動手段によって構成することができる。
【０００７】
また、前記ガードフレームの昇降手段を、ガードフレームにシリンダロッドが連結されたシリンダによって構成してもよい。
【０００８】
【実施の形態】
以下、この発明の実施形態を添付図面に基づいて説明する。図１及び図２に示すように、端板１、２の下縁には、一対のキャスタ１ａ、２ａが取り付けられてベッドが移動可能になっており、これらの端板１と２は、チャンネル形のサイドフレーム３、３によって連結されている。そして、サイドフレーム３、３の間に床板４が支持されている。
【０００９】
上記それぞれのサイドフレーム３の上面中央部には、サイドフレーム３の長さ方向に支持バー５が取り付けられ、この支持バー５には、ベッドの両側から人体が落下するのを防止するガードフレーム５ａが固定されている。勿論、このガードフレーム５ａは、支持バー５に着脱自在に取り付けることができる。
【００１０】
前記サイドフレーム３には、その長さ方向に沿って回転軸６が取り付けられ、この軸６はモータ７によって回転駆動される。この回転軸６には、両端部に正ねじ６ａと逆ねじ６ｂが形成され、このねじ６ａ、６ｂにパンタグラフ機構８、８が取り付けられている。それぞれのパンタグラフ機構８を形成するリンクの下端には、ねじ６ａ、６ｂと係合するナット８ａ、８ｂが取り付けられ、前記リンクは、これらのナット８ａ、８ｂに、ベッドの側面と並行な垂直面間で回転自在に連結され、リンクの上端は、ベッドの側面と並行な垂直面間で回転自在に支持バー５に連結されている。従ってモータ７で軸６を回転駆動すると、ナット８ａ、８ｂは互に接近し、パンタグラフ機構８によって支軸バーと共にガードフレーム５ａが鎖線のように上昇し、モータ７を逆回転すると、ナット８ａ、８ｂは離反し、ガードフレーム５ａが実線の位置まで下降する。
【００１１】
上記のようなガードフレーム５ａ、５ａの昇降機構の使用方法を図３に基づいて説明する。まずマットレスＭの上に敷いたシーツＳの両側をクリップなどの係止具Ｃでガードフレーム５ａ、５ａの上端部にしっかりと止着して、図の実線で示すように、シーツＳをガードフレーム５ａ、５ａの上端から円弧状に垂れ下った状態に支持する。そして、患者ＨはシーツＳの上に寝かせられ、体位変換が必要なときに、前述のようにして一方のモータ７を駆動し、一方のガードフレーム５ａを上昇させると、それにつれてシーツＳが鎖線のように引張られるため、人体Ｈも鎖線のように片側がシーツＳと共に持ち上げれて角度が変る。同様に、他方のモータ７を駆動し、他方のガードフレーム５ａを上昇させると、人体Ｈの他側が持ち上げられて臥位が変化する。このように、シーツＳを持ち上げて体位を変換させるため、シーツＳとマットレスＭとの空隙に空気が流通し、汗や湿気を除くと同時に皮膚呼吸を可能にして褥瘡を有効に防止する。なお、図３の場合は、仰臥位から側臥位への体位変換を示しているが、当初の体位が側臥位であっても、勿論同様に体位変換が可能である。
【００１２】
上述の体位変換を自動的に制御することが可能である。例えば、図４に示すようなマイクロコンピュータから成る制御部１０を設け、体位変換を行なう期間（例えば午後１０時から翌朝６時まで）、その期間内の体位変換回数又は時間間隔等を操作キー１１で制御部１０に入力し、制御部１０は、組込まれたソフトウェアにより入力値に応じてモータ７、７を駆動して体位変換を行なう。勿論操作キー１１には、任意の時にモータ７、７を作動できるキーを設けておくことができる。
【００１３】
なお、ガードフレーム５ａ、５ａの昇降機構は、前記実施形態に限らず、例えば小形の油圧ポンプで作動する油圧シリンダのシリンダロッドをガードフレーム５ａ、５ａに連結して昇降させるようにすることもできる。
【００１４】
図５に示すように、床板４を複数の屈曲部４ａ、４ｂ、４ｃで折り曲げ可能とし、適当なリンク手段１２ａ、１２ｂを駆動手段（図示せず）によって図の矢印方向に押すと、床板４は、鎖線のように起立し、逆にリンク手段１２ａ、１２ｂを引張ると床板４は平坦になる。このような起伏機構を前記ガードフレーム５ａ、５ａの昇降機構と共にベッドに装備しておくことができる。
【００１５】
【効果】
この発明によれば、以上のように、ベッドのシーツを持ち上げる昇降機構を設け、このシーツの持ち上げと共に体位を変換するようにしたので、人体とマットレスとの間に隙間が生じて、湿気や汗などが散逸し易く、さらに皮膚呼吸も可能となって褥瘡の予防及び治療に極めて有効である。
【図面の簡単な説明】
【図１】この発明の寝返りベッドの一例を示す一部破断側面図
【図２】同上の拡大横断面図
【図３】同上の作用説明用正面図
【図４】寝返りベッドの制御方法を示すブロック図
【図５】起伏機構の概略を示す側面図
【符号の説明】
Ｃ  係止具
Ｈ  人体
Ｍ  マットレス
Ｓ  シーツ
１、２  端板
１ａ、２ａ  キャスタ
３  サイドフレーム
４  床板
４ａ、４ｂ、４ｃ  屈曲部
５  支持バー
５ａ、５ａ  ガードフレーム
６  回転軸
６ａ、６ｂ  ねじ
７  モータ
８  パンタグラフ機構
８ａ、８ｂ  ナット
１０  制御部
１１  操作キー
１２ａ、１２ｂ  リンク手段
【図１】
0004155622.tif 000002
【図２】
0004155622.tif 000003
【図３】
0004155622.tif 000004
【図４】
0004155622.tif 000005
【図５】
0004155622.tif 000006